(57)【要約】【課題】上階からの衝撃音を低減しつつ設置の作業性を向上可能な、建物の天井構造、及び建物の天井構造の施工方法を提供する。【解決手段】本開示に係る建物の天井構造１００は、上部構造体と、上部構造体の下方に設けられ、天井板３ａと野縁７とを有する天井３と、天井３に上載された吸音体４とを備え、吸音体４は、粒状体と、粒状体を収容し野縁７の配列方向に連結された複数の容器とを有し、複数の野縁７を跨ぐように配置されており、野縁の配列方向外側部よりも配列方向中央部の方が敷設領域の割合が高いことを特徴とする。【選択図】図１
2020070641.tif 000002
【特許請求の範囲】
【請求項１】
上部構造体と、
該上部構造体の下方に設けられ、天井板と野縁とを有する天井と、
該天井に上載された吸音体と
を備え、
前記吸音体は、
粒状体と、
該粒状体を収容し、野縁の配列方向に連結された複数の容器と
を有し、複数の野縁を跨ぐように配置されており、野縁の配列方向外側部よりも配列方向中央部の方が敷設領域の割合が高いことを特徴とする建物の天井構造。
【請求項２】
前記複数の容器は、隣接する野縁上にそれぞれ配置される第１容器と、
該第１容器同士を連結し、前記天井板上に配置される第２容器と
を有する、請求項１に記載の建物の天井構造。
【請求項３】
前記上部構造体は、鉄骨造の架構の梁である、請求項１又は２に記載の建物の天井構造。
【請求項４】
上部構造体と、
該上部構造体の下方に設けられ、天井板と野縁とを有する天井と、
該天井に上載された吸音体と
を備え、
前記吸音体は、
粒状体と、
該粒状体を収容し、野縁の配列方向に連結された複数の容器と
を有し、野縁の配列方向の少なくとも一方の端部に配置された際野縁及び該際野縁に隣接する１以上の野縁を除く、複数の野縁を跨ぐように配置されていることを特徴とする建物の天井構造。
【請求項５】
上部構造体と、
該上部構造体の下方に設けられ、天井板と野縁とを有する天井と、
該天井に上載された吸音体と
を備えた建物の天井構造の施工方法であって、
前記吸音体は、
粒状体と、
該粒状体を収容し、野縁の配列方向に連結された複数の容器と
を有し、複数の野縁を跨ぐように配置されており、
野縁を設置するステップと、
野縁を設置した後に前記吸音体を複数の野縁を跨ぐように配置するステップと、
前記吸音体を配置した後に下方から前記天井板を野縁に固定するステップと
を含む建物の天井構造の施工方法。
【発明の詳細な説明】
【技術分野】
【０００１】
本開示は、建物の天井構造、及び建物の天井構造の施工方法に関する。
【背景技術】
【０００２】
従来、マンション等の集合住宅や二階建て以上の多層住宅では、上階からの生活音が下階の住人にとって耳障りになることがあり、特に他人同士が隣接する居住空間内で生活する集合住宅ではトラブルの原因になることがあった。
【０００３】
このような問題に対して、例えば特許文献１には、上部構造体と、上部構造体の下方に隙間をあけて形成された天井と、天井に上載された吸音体とを備えてなる天井構造であって、吸音体が、粒状体と、粒状体を収容する容器とを有し、粒状体は、パーライト、天然ガラス発泡体、砂、または、これらのうちの少なくとも２つを混合したものであり、容器が吊りボルトを避けて、天井の天井板に所定の間隔をあけて列状に上載されることで、上階の床衝撃音の低減効果を高めた天井構造が開示されている。
【０００４】
また、特許文献２には、天井に上載されて天井の振動を吸収する吸音部材であって、ゼオライトを主体とした粒状体と、粒状体を収容する袋状の容器とを備え、粒状体は、パーライト、天然ガラス発泡体、砂、木炭またはこれらを混合したものを含んだもの、又はゼオライトであることが開示されている。
【０００５】
また、特許文献３には、粒状体と粒状体を収容する第一容器からなる第一吸音体と、粒状体と粒状体を収容する第二容器からなる第二吸音体とが、天井に上載されて上階の床衝撃音を吸収する吸音構造であって、第一吸音体と第二吸音体は、天井板と下地材に対してそれぞれ個別に設置されることが開示されている。
【０００６】
また、特許文献４には、天井に上載されて上階の床衝撃音を吸収する吸音構造であって、粒状体と粒状体を収容する第一容器とを有し、天井の天井板の上面に上載された第一吸音体と、粒状体と粒状体を収容する第二容器とを有し、天井の下地材の上面に上載された第二吸音体とを備えていて、第一吸音体は、天井板に固定されており、第二吸音体は下地材に固定されることが開示されている。
【０００７】
また、特許文献５には、上部構造体と、上部構造体の下方に隙間をあけて形成された天井と、天井に上載された吸音体とを備えてなる天井構造であって、吸音体は、粒状体と、粒状体を収容する容器とを有し、粒状体は、パーライト、天然ガラス発泡体、砂、または、これらを混合したものであり、容器が、天井の野縁を跨いだ状態で、天井の天井板に上載される天井構造が開示されている。
【０００８】
また、特許文献６には、スラブの下に所定間隔ごとに孔を形成した天井を設け、粉径が管理された炭粉を通気性を確保したシート部材からなる容器に収容して天井の裏側に敷設することで衝撃音を低減することが可能な住環境改善建築構造、及び住環境改善化工法が開示されている。
【先行技術文献】
【特許文献】
【０００９】
【特許文献１】特許第６１０５１０１号公報
【特許文献２】特開２０１７−  ２０１６７号公報
【特許文献３】特許第６３８１７５９号公報
【特許文献４】特開２０１５−１４８１０８号公報
【特許文献５】特許第５９５０７５０号公報
【特許文献６】特開２０１０−  ３１５９９号公報
【発明の概要】
【発明が解決しようとする課題】
【００１０】
しかし、上記特許文献に記載の天井構造等では、上部構造体の下方に天井を設置した後に、天井の裏側に吸音体を配置するため、作業者が天井の上方まで移動して作業を行わなければならず、少なくとも作業性の点において改善の余地があった。
【００１１】
本開示は、このような課題に鑑みてなされたものであり、その目的は、上階からの衝撃音を低減しつつ設置の作業性を向上可能な、建物の天井構造、及び建物の天井構造の施工方法を提供することにある。
【課題を解決するための手段】
【００１２】
本開示の建物の天井構造は、
上部構造体と、
該上部構造体の下方に設けられ、天井板と野縁とを有する天井と、
該天井に上載された吸音体と
を備え、
前記吸音体は、
粒状体と、
該粒状体を収容し、野縁の配列方向に連結された複数の容器と
を有し、複数の野縁を跨ぐように配置されており、野縁の配列方向外側部よりも配列方向中央部の方が敷設領域の割合が高いことを特徴とするものである。
【００１３】
また、本開示の建物の天井構造は、上記構成において、前記複数の容器は、隣接する野縁上にそれぞれ配置される第１容器と、該第１容器同士を連結し、前記天井板上に配置される第２容器とを有することが好ましい。
【００１４】
また、本開示の建物の天井構造は、上記構成において、前記上部構造体は、鉄骨造の架構の梁であることが好ましい。
【００１５】
また、本開示の建物の天井構造は、
上部構造体と、
該上部構造体の下方に設けられ、天井板と野縁とを有する天井と、
該天井に上載された吸音体と
を備え、
前記吸音体は、
粒状体と、
該粒状体を収容し、野縁の配列方向に連結された複数の容器と
を有し、野縁の配列方向の少なくとも一方の端部に配置された際野縁及び該際野縁に隣接する１以上の野縁を除く、複数の野縁を跨ぐように配置されていることを特徴とするものである。
【００１６】
また、本開示の建物の天井構造の施工方法は、
上部構造体と、
該上部構造体の下方に設けられ、天井板と野縁とを有する天井と、
該天井に上載された吸音体と
を備えた建物の天井構造の施工方法であって、
前記吸音体は、
粒状体と、
該粒状体を収容し、野縁の配列方向に連結された複数の容器と
を有し、複数の野縁を跨ぐように配置されており、
野縁を設置するステップと、
野縁を設置した後に前記吸音体を複数の野縁を跨ぐように配置するステップと、
前記吸音体を配置した後に下方から前記天井板を野縁に固定するステップと
を含むことを特徴とするものである。
【発明の効果】
【００１７】
本開示によれば、上階からの衝撃音を低減しつつ設置の作業性を向上可能な、建物の天井構造、及び建物の天井構造の施工方法を提供することができる。
【図面の簡単な説明】
【００１８】
【図１】本開示の一実施形態に係る建物の天井構造の構成を示す正面図である。
【図２】本開示の一実施形態に係る建物の天井構造の吸音体の構成を示す、（ａ）は平面図、（ｂ）は正面図である。
【図３】本開示の一実施形態に係る建物の天井構造を製造する過程において、（ａ）は天井板が無い状態で吸音体を野縁上に配置した状態を示す図であり、（ｂ）は（ａ）の状態から天井板を下方から持ち上げて野縁に固定した状態を示す図である。
【図４】野縁の配列方向外側部と配列方向中央部を定義するための図である。
【図５】本開示の一実施形態に係る建物の天井構造の施工方法の手順を示すフローチャートである。
【発明を実施するための形態】
【００１９】
以下、図面を参照して、本開示をより具体的に説明する。
【００２０】
図１は、本開示の一実施形態に係る建物の天井構造１の構成を示す正面図である。建物の天井構造１は、建物の住居部構造体をなす架構を構成する梁部材２と、梁部材２に固定され、梁部材２から垂下する防振吊り部材５と、防振吊り部材５の下端部に取り付けられる野縁受け６と、野縁受け６の下面に固定され、略一定間隔で配列される野縁７と、野縁７の下面に固定される天井板３ａとを備えている。なお、本実施形態では、野縁７のうち、壁部９に固定され野縁７の配列方向端部に配置されているものを便宜上、際野縁７ａと呼んでいる。また、野縁７の配列方向と直交する方向における天井板３ａの端部に配置され壁部９に固定される野縁７もまた際野縁７ａである。なお、図１では、建物は天井勝ちの構成を有するものとして記載しているが、壁勝ちの構成であってもよい。
【００２１】
なお、本明細書、特許請求の範囲及び図面において、建物の天井構造１の上下方向とは、図１の上下方向を基準とし、床支持部材８が配置される側を上方、天井板３ａが配置される側を下方とする。
【００２２】
本実施形態に係る天井構造１を採用する建物は、鉄骨造の軸組みを有し、複数の階層を有する鋼構造建物である。本実施形態では、建物は複数の階層として２層を有するものとして説明しているが、３層以上の構成としてもよい。
【００２３】
建物は、地盤に固定された図示しない鉄筋コンクリート造の基礎構造体と、柱部材や梁部材２などの部材で構成された躯体構造としての架構を有し基礎構造体に固定された住居部構造体と、で構成されている。なお、架構を構成する部材は、規格化（標準化）されたものであり、予め工場にて製造された後に建築現場に搬入されて組み立てられる。このように、本実施形態に係る建物は、工業化建物、プレハブ建物、システム建物等への適用が好ましい。
【００２４】
基礎構造体は、架構の下方に位置し、架構を支持している。具体的に、基礎構造体は、鉄筋コンクリート造の布基礎であり、フーチング部と、基礎梁としての立ち上がり部とを備える。また、基礎構造体の立ち上がり部の上端部には、架構の柱部材の柱脚を固定するための柱脚固定部が設けられ、アンカーボルトが立ち上がり部の上面から突出している。
【００２５】
本実施形態の住居部構造体は、複数の柱部材及び柱部材間に架設された複数の梁部材２から構成される鉄骨造の架構と、この架構の外周部に配置される外周壁と、階層間を上階屋内空間と下階屋内空間とに隔てる仕切体と、を備えている。なお、架構は、必ずしも鉄骨造でなくてもよい。
【００２６】
外周壁は、外装部材と、断熱部材と、内装部材と、を含んでいる。外装部材は、例えば、軽量気泡コンクリート（以下、「ＡＬＣ等」と記載する。「ＡＬＣ」とは「autoclavedlight weight concrete」の略である。）のパネルにより構成することができ、架構の周囲にＡＬＣパネルを複数連接させることにより、外周壁の外層を形成することができる。断熱部材は、例えば、フェノールフォーム、ポリスチレンフォーム、ウレタンフォーム等の発泡樹脂系の材料で形成することができ、上述の外装部材により形成された外層の内面に沿って連接することにより、外周壁の断熱層を形成することができる。更に、内装部材は、例えば、石膏ボードを用いることができ、断熱層の内側に連接することにより、外周壁の内層を形成することができる。
【００２７】
仕切体は、図１に示す床支持部材８、及び天井３を含んでいる。ここで、「仕切体」とは、上階屋内空間と下階屋内空間とを仕切るものであり、架構を除く、下階屋内空間の天面から上階屋内空間の床面までの間に位置する部材の集合体を意味するものである。従って、仕切体は、上述した床支持部材８や天井３に加えて、例えば、床支持部材８上に積層された、上階屋内空間の床面を構成するフローリング等の床内装部材などを含む概念である。そして、本実施形態の仕切体は、上階屋内空間としての２階の屋内空間と、下階屋内空間としての１階の屋内空間とを仕切るものである。
【００２８】
床支持部材８は、例えば、ＡＬＣパネルにより構成することができる。床支持部材８は、梁部材２上に架設され、梁部材２により直接的又は間接的に支持される。
【００２９】
天井３は、下階屋内空間の天井面を構成する天井板３ａと、天井板３ａの上方に設けられ、天井板３ａを上方から支持する野縁７とを備えている。
【００３０】
野縁７は、水平方向（図１の左右方向）に延び架構を構成する梁部材２から垂下する防振吊り部材５により吊り下げ支持された野縁受け６に取り付けられており、略水平方向、且つ図１の紙面に垂直な方向に延びている。野縁７は、本実施形態では、ロの字型の断面形状を有する角型鋼により形成されており、野縁７の配列方向（図１の左右方向）に略所定間隔毎に配置されている。本実施形態では、複数の野縁７のうち、野縁７の配列方向端部に配置され、下階屋内空間の壁部９に固定されるものを際野縁７ａと呼ぶことにする。なお、野縁７には、ロの字型のほか、Ｈ型、Ｌ型、Ｉ型、コの字型等の各種鋼材を用いることができる。また、野縁７は、鋼鉄材の他、木材等を用いて構成してもよい。野縁７に用いる部材は、ＪＩＳ  Ａ  ６５１７  建築用鋼製下地材（壁・天井）に準拠した部材であることが好ましい。
【００３１】
野縁７の下面には、図１に示すように、天井板３ａが設けられている。天井板３ａは、例えば石膏ボード等により形成されている。また、天井板３ａとして、例えば透湿性建材等を設けるようにしてもよい。
【００３２】
野縁受け６を支持する防振吊り部材５は、防振ゴムを備えており、上階屋内空間の床面からの衝撃が梁部材２を通じて天井３に伝達されるのを抑制する機能を有している。
【００３３】
本実施形態の架構では、図示しない基礎構造体の上に複数の柱部材が立設され、柱部材の間に複数の梁部材２が固定されている。
【００３４】
次に、上階屋内空間の床面からの衝撃を吸収する吸音体４について詳細に説明する。本実施形態の吸音体４は、図２に示すように、内部に粒状のゼオライトを収容した第１容器４ａと、同じく粒状のゼオライトを収容し第１容器４ａの両側に連結して設けられた第２容器４ｂとを備えている。中央の第１容器４ａとその両側の２つの第２容器４ｂとで、１組の吸音体ユニット４ｃを構成しており、吸音体ユニット４ｃ内の互いに隣接する第１容器４ａ及び第２容器４ｂは屈曲部４ｄを介して互いに連結されている。本実施形態では、屈曲部４ｄは、第１容器４ａ及び第２容器４ｂが設けられていない部位であるが、第１容器４ａ又は第２容器４ｂの一部が屈曲部４ｄを構成していてもよい。第１容器４ａと第２容器４ｂは屈曲部４ｄにおいて図２（ｂ）の紙面に垂直な軸線周りに屈曲可能である。図２では、上述の吸音体ユニット４ｃを更に野縁７の配列方向に３つ連ねた態様を示している。図２では、吸音体ユニット４ｃの端部の第２容器４ｂ同士もまた、屈曲部４ｄを介して連結されている。なお、第１容器４ａ及び第２容器４ｂは、吸音性能の観点から、可撓性を有するシート状の材料により袋状に構成されていることが好ましい。また、第１容器４ａ及び第２容器４ｂは、通気性を備えていることが好ましい。本実施形態では、第１容器４ａ及び第２容器４ｂは、不織布と樹脂シートとを部分的に貼り合わせた材料で構成しているが、他の様々な材料を用いても構成可能である。
【００３５】
ゼオライトは、規則的なチャンネル（管状細孔）とキャビティ（空洞）を有する剛直な陰イオン性の骨格からなるアルカリまたはアルカリ土類金属を含む含水アルミノケイ酸塩である。ゼオライトは、湿度、臭気を吸着するため吸収性内装材や土壌改良材、ろ過材として用いられる粒状体で、無機物の鉱物であることから不燃性の材料である。
【００３６】
ゼオライトを収容した吸音体４は、図１に示すように天井板３ａの上に配置される。より具体的には、吸音体ユニット４ｃの第１容器４ａは、各野縁７の上面に当接するように配置される。また、吸音体ユニット４ｃの第２容器４ｂは、各野縁７に隣接する天井板３ａの上面に当接するように配置される。吸音体４は、第１容器４ａを野縁７の上面に配置し、第２容器４ｂのうち他の吸音体ユニット４ｃと連結されていない第２容器４ｂが野縁７の脇から下方に垂れ下がるように配置した後（図３（ａ）参照）、下方から天井板３ａを持ち上げて野縁７の下面に固定することによって垂れ下がっていた第２容器４ｂが天井板３ａの上面に当接した状態となる（図３（ｂ）参照）。このような施工手順を採用することによって、従来の天井板を野縁７に固定してから吸音体４を天井板の上に配置する手順と比較して、作業者が天井板の上方で作業する必要がなくなり、施工効率が向上する。
【００３７】
なお、天井板３ａの施工性向上のため、吸音体ユニット４ｃの端部同士を連結してから天井板３ａを施工してもよい。その場合の連結方法としては、吸音体ユニット４ｃの端部に係合部を設けたり、端部同士を貼り合わせるなど、様々な方法を用いることができる。
【００３８】
本実施形態では、図３（ａ）と図３（ｂ）の比較から理解できるように、天井板３ａを設置していない状態において野縁７の脇から垂れ下がっていた第２容器４ｂが、天井板３ａの設置時に天井板３ａと共に上方に押し上げられ、垂れ下がっていた第２容器４ｂの端部同士が密着するように、野縁７間ピッチと各容器４ａ，４ｂの長さとが設定されている。このような構成によって、少なくとも天井板３ａの中央部においては吸音体４が概ね隙間なく敷き詰められることになる。なお、本実施形態では、図３（ｂ）に示すように、第２容器４ｂの端部同士が当接する領域において第２容器４ｂと天井板３ａとの隙間がなくなる程度に第２容器４ｂ同士を密着させている。
【００３９】
図３（ｂ）の状態で上階屋内空間の床面に衝撃が加えられ、図１の床支持部材８、梁部材２、防振吊り部材５、野縁受け６及び野縁７を通じて天井板３ａに振動が伝達されても、野縁７及び天井板３ａの上面に設置された吸音体４が振動することでゼオライトのチャンネルやキャビティに振動が吸収されて、天井板３ａ及び野縁７の振動を抑制することができる。
【００４０】
なお、吸音体ユニット４ｃの形成は、ゼオライトを収容した第１容器４ａ及び第２容器４ｂを個別に完成させた後にそれらを接着等の手段で連結してもよいし、１つの細長い容器を圧着、溶着又は縫合等の手段によって複数の収容空間に分割し、分割されたそれぞれの収容空間内にゼオライトを収容することで屈曲部４ｄを備えた吸音体ユニット４ｃを形成するようにしてもよい。
【００４１】
本実施形態では、粉状体としてゼオライトを用いるように構成したが、この態様には限定されず、例えば、パーライト、天然ガラス発泡体、砂、又はこれらのうちの少なくとも２つを混合した他の粒状体を用いるようにしてもよい。
【００４２】
また、第１容器４ａと第２容器４ｂの大きさは必ずしも同じでなくてもよく、任意に定めることができる。例えば、野縁７における振動の抑制効果を高めたい場合には、第１容器４ａの長手方向長さを相対的に長くしたり、第１容器４ａの粒状体の体積を相対的に大きくしてもよい。また、天井板３ａにおける振動の抑制効果を高めたい場合には、第２容器４ｂの長手方向長さを相対的に長くしたり、第２容器４ｂの粒状体の体積を相対的に大きくしてもよい。
【００４３】
本実施形態では、原則として野縁７の上に第１容器４ａを配置し、天井板３ａの上に第２容器４ｂを配置するように構成したが、例えば野縁７（際野縁７ａ）上に第１容器４ａに加えて第２容器４ｂの一部が配置されるようにしてもよい。また、１つの第１容器４ａが２本の野縁７（際野縁７ａ）上に部分的に配置されるように構成してもよい。
【００４４】
本実施形態では、吸音体ユニット４ｃを野縁７の配列方向に３つ連結して吸音体４を構成している（図２参照）。これによって、吸音体４の長手方向に独立して設けられた３つの第１容器４ａ部分が３本の野縁７によってそれぞれ支持されるため、天井板３ａを設置していない図３（ａ）のような施工の過程においても、吸音体４が３本の野縁７によって安定的に支持される。従って、施工時に吸音体４が野縁７から脱落するなどのトラブルが生じにくいため、建物の天井構造１の施工効率を向上させることができる。なお、吸音体ユニット４ｃを野縁７の配列方向に２つ連結した場合でも、吸音体４の独立した２つの第１容器４ａ部分を２本の野縁７によって支持することができるため、天井板３ａを設置していない図３（ａ）のような施工の過程においても、吸音体４が２本の野縁７によって比較的安定的に支持される。従って、施工時に吸音体４が野縁７から脱落しにくいため、建物の天井構造１の施工効率を向上させることができる。なお、吸音体４は１つの吸音体ユニット４ｃから構成されていてもよいし、４つ以上の吸音体ユニット４ｃから構成されていてもよい。また、吸音体４は、必ずしも吸音体ユニット４ｃの整数倍の構成である必要はなく、吸音体ユニット４ｃの端部に、吸音体ユニット４ｃの一部の第１容器４ａ又は第２容器４ｂを付加した構成としてもよい。
【００４５】
図１の左右方向中央より左寄りの位置で示すように、本実施形態において、吸音体４は、野縁７のうち、壁部９に固定され野縁７の配列方向端部に配置されている際野縁７ａ上、及び際野縁７ａに隣接する１本の野縁７上には配置されないように構成されている。このような構成によって、天井３の施工作業者が天井板３ａを野縁７に取り付ける際に、天井板３ａにおける野縁７の配列方向端部に吸音体４の重量がかからないので、作業者が天井板３ａの周縁部を際野縁７ａに対して位置決めし易くなる。更に、天井板３ａを野縁７に取り付ける際に、天井板３ａと際野縁７ａとの間に垂れ下がった吸音体４を誤って挟み込んでしまうことも発生し難い。このように、建物の天井構造１の施工効率を向上させることができる。
【００４６】
なお、本実施形態では、際野縁７ａ、及び際野縁７ａに隣接する１本の野縁７には吸音体４を載せないように構成したが、この態様には限定されない。吸音体４は、際野縁７ａ、及び際野縁７ａに隣接する２本以上の野縁７に載せないように構成してもよい。なお、部分的には、際野縁７ａ及び際野縁７ａに隣接する野縁７に吸音体４を載せるように構成してもよい。野縁７の配列方向両端の際野縁７ａのうち、少なくともいずれか一方の際野縁７ａ及びそれに隣接する少なくとも１本の野縁７に吸音体４を載せないようにするだけでも、天井板３ａの位置決めをし易くし、建物の天井構造１の施工効率を向上させることができる。
【００４７】
なお、本願の発明者が鋭意検討した結果、この際野縁７ａ及び際野縁７ａに隣接する野縁７に吸音体４を載せない場合（他の野縁７には吸音体４を載せている。）でも、上階屋内空間の床面からの衝撃音を所定レベルまで抑制できることを確認することができた。より具体的には、吸音体４を際野縁７ａ及び際野縁７ａに隣接する２本の野縁７に載せない場合であっても、重量床衝撃音の遮断性能評価（測定方法：ＪＩＳ  Ａ  １４１８−２：２０００，遮音性能の評価方法：ＪＩＳ  Ａ  １４１９−２：２０００）において、通常の鉄骨造建物と比較して良好な遮断性能を得ることができた。このような良好な結果が得られた理由としては、天井板３ａの際野縁７ａ付近では、天井板３ａが際野縁７ａ及び際野縁７ａが固定されている壁部９等によって支持されているため、上階屋内空間の床面から衝撃を受けても、天井板３ａの際野縁７ａ付近及び際野縁７ａ自身は大きく振動しないためである。他方、際野縁７ａから離れた領域（図４では例えば野縁７の配列方向中央部３ｃ）は、壁部９等によって支持される効果が小さいため、上階屋内空間の床面からの衝撃による振動が建物の構造によっては十分に抑制されない。従って、これらの領域に吸音体４を載せることで上階屋内空間の床面からの衝撃を効果的に吸収できる。
【００４８】
なお、本願の発明者の検討結果によれば、本実施形態の構成によって、重量床衝撃音のみならず、上下階遮音性能についても向上させられることを確認することができた。
【００４９】
図４は、四方を際野縁７ａで囲まれた天井３の領域を下方から見た図である。図４に示すように、天井板３ａにおける野縁７の配列方向に沿う端部から中央までを、野縁７の配列方向外側部３ｅと、配列方向中央部３ｃとに二分したとき（図４に示す長さａは二分した時の一方の長さ）、野縁７の配列方向外側部３ｅよりも配列方向中央部３ｃにおける野縁７及び天井板３ａへの吸音体４の敷設領域の割合が高くなるように構成するとよい。これによって、吸音体４の敷設による振動抑制効果が大きい野縁７の配列方向中央部３ｃにゼオライトをより多く載せることができる。これによって、天井板３ａの際野縁７ａ近傍に載せるゼオライトの量を抑制し、天井板３ａの位置合わせを容易にして施工効率を高めつつ、所望の振動抑制効果を維持することができる。
【００５０】
なお、野縁７の配列方向外側部３ｅよりも配列方向中央部３ｃにおける野縁７及び天井板３ａへの吸音体４の敷設領域の割合が高くなるようにするためには、際野縁７ａ及び際野縁７ａに隣接する少なくとも１本の野縁７に吸音体４を載せず、それ以外の領域の全領域又は殆ど全ての領域に吸音体４を載せるように構成してもよい。また、野縁７の配列方向外側部３ｅから配列方向中央部３ｃに向かうに連れて、吸音体４の敷設割合が徐々に増加するように構成するなどしてもよい。
【００５１】
なお、吸音体４の敷設割合を、野縁７の配列方向と直交する方向（図４の上下方向）の端部よりも中央部の方が高くなるように構成してもよい。これは、例えば、図４の上下方向端部において、吸音体４を載せることができなかった隙間領域（図２（ａ）における吸音体４の上下方向長さよりも小さな隙間領域）に、吸音体４をオーバーラップさせて載せたり小さく加工して載せたりしないようにすることで実現可能である。このように野縁７の配列方向と直交する方向にも吸音体４を載せない領域を設けることで、吸音体４の使用量や廃材量を抑制することができる。
【００５２】
なお、本願の発明者は、躯体の床、梁、壁が重くて硬い鉄筋コンクリート造（ＲＣ造）については、躯体が床衝撃音性能を担保しており、設備配管を隠すための天井面が最も振動し易いため、天井面に粒状体を配置することで制振効果を発揮できるが、鉄骨造においては、床ＡＬＣ、躯体梁、柱、内装材など全てが振動するため、総合的な対策が不可欠であると考えていた。しかし、上述のような検討の結果、鉄骨造の建物においても、天井板３ａ及び野縁７に吸音体４を配置することで所望の制振効果を得ることができることを見出したものである。
【００５３】
次に、本実施形態の建物の天井構造１の施工方法について、その手順を示すフローチャート（図５）を用いて説明する。
【００５４】
建物の天井構造１の製造を行う作業者は、架構を構成する梁部材２の下方に、複数の野縁７を設置する（ステップＳ１０１）。ここで、梁部材２は、天井３を上方から支持する上部構造体として機能する。この野縁７の設置に際しては、作業者はまずＨ形鋼で形成された梁部材２の下端部に防振吊り部材５を取り付ける。防振吊り部材５は、図１に示すように梁部材２の長手方向に沿って複数箇所に設けられる。次に、防振吊り部材５の下端部に、野縁受け６を固定する。本実施形態では、野縁受け６もまた鋼鉄製であり、前述の複数の防振吊り部材５によって梁部材２と略平行に配置する。野縁受け６は、図１の紙面に垂直な方向に間隔を置いて少なくとも２本以上を配置する。そして、少なくとも２本の野縁受け６を掛け渡すように野縁７が固定される。
【００５５】
野縁７の設置を終了すると、作業者は、複数の野縁７を跨ぐように吸音体４を配置する（ステップＳ１０３）。先述のように、本実施形態に係る吸音体４は、図２（ａ），（ｂ）に示すように、１つの第１容器４ａ及び２つの第２容器４ｂからなる吸音体ユニット４ｃを３つ繋げた構成を有しており、全部で９つの容器４ａ，４ｂを有している。このような構成を有する吸音体４を少なくとも２本（図３（ａ），（ｂ）の例では３本）の野縁７を跨ぐように配置すると、野縁７の配列方向に延びる吸音体４が、同方向に間隔を置いて配置された少なくとも２本の野縁７により支持される。従って、図３（ａ）に示すように建物の天井構造１の施工過程において天井板３ａが設置されていない状態であっても、野縁７間で垂れ下がる吸音体４の数を減らし、野縁７のみで吸音体４を安定的に支持することができる。従って、施工時に野縁７から吸音体４がずれ落ちたりするトラブルを抑制することができる。
【００５６】
吸音体４を配置した後、作業者は、天井板３ａを下方から野縁７に固定する（ステップＳ１０５）。このステップは、野縁７に対する天井板３ａの面内方向の位置合わせを行った後、図３（ａ）に示すように下方から天井板３ａを徐々に野縁７に近づけていく。天井板３ａはまず初めに野縁７から垂れ下がった吸音体４の端部の第２容器４ｂに当接する。作業者が更に天井板３ａを垂れ下がった第２容器４ｂと共に上方に持ち上げ、図３（ｂ）に示すように天井板３ａが野縁７の下面に当接したところで天井板３ａと野縁７とを連結し固定する。
【００５７】
以上述べたように、本実施形態では、上部構造体（梁部材２）と、上部構造体の下方に設けられ、天井板３ａと野縁７とを有する天井３と、天井３に上載された吸音体４とを備え、吸音体４は、粒状体と、粒状体を収容し野縁７の配列方向に連結された複数の容器とを有し、複数の野縁７を跨ぐように配置されており、野縁７の配列方向外側部３ｅよりも配列方向中央部３ｃの方が敷設領域の割合が高いように構成した。このような構成の採用によって、吸音体４が、野縁７の配列方向に距離をおいて配置された複数の野縁７によって支持されることになるため、吸音体４が複数の野縁７によって安定的に支持されるほか、野縁７間で下方に垂れ下がる吸音体４の数を減らすことができる。従って、吸音体４を、野縁７を跨ぐように載せてから、天井板３ａを下から押し上げる工程を行う際に、垂れ下がる吸音体４が施工の障害になり難い。そのため、天井板３ａを容易に押し上げて野縁７に対して固定することができる。従って、特許文献１のように天井を設置した後に、作業者が天井の上方まで移動して作業を行う必要がなく、建物の天井構造１の施工効率を向上させることができる。また、粒状体が複数の容器に収容されているので、粒状体の偏在（例えば野縁７の上の位置が「疎」となり、その両側の天井板３ａの上の位置が「密」となるような粒状体の偏在）を抑制して振動抑制の効果の偏在化を抑制することができる。
【００５８】
また、野縁７の配列方向外側部３ｅよりも配列方向中央部３ｃの方が吸音体４の敷設領域の割合が高くなるように構成することによって、吸音体４の敷設による振動抑制効果が大きい野縁７の配列方向中央部３ｃにゼオライトをより多く載せることができる。従って、天井板３ａの際野縁７ａ近傍に載せるゼオライトの量を抑制して天井板３ａの位置合わせ等を容易にして施工効率を高めつつ、所望の振動抑制効果を維持することができる。
【００５９】
また、本実施形態では、複数の容器は、隣接する野縁７上にそれぞれ配置される第１容器４ａと、第１容器４ａ同士を連結し、天井板３ａ上に配置される第２容器４ｂとを有するように構成した。このような構成の採用によって、野縁７上に配置される第１容器４ａと天井板３ａ上に配置される第２容器４ｂとがそれぞれ個別の粒状体収容空間を有しているため、段差がある野縁７と天井板３ａ上にそれぞれ第１容器４ａ及び第２容器４ｂを配置しても、第１容器４ａから第２容器４ｂに向かって粒状体が移動してしまうことがなく、粒状体の偏在を抑制することができる。従って、野縁７の振動と天井板３ａの振動の双方をバランスよく抑制することができる。
【００６０】
また、本実施形態では、上部構造体は、鉄骨造の架構の梁部材２であるように構成した。このような構成の採用によって、梁部材２が支持する床支持部材８を通じた上階からの衝撃音を吸音体４によって効果的に吸収し抑制することができる。
【００６１】
また、本実施形態では、上部構造体と、上部構造体の下方に設けられ、天井板３ａと野縁７とを有する天井３と、天井３に上載された吸音体４とを備え、吸音体４は、粒状体と、粒状体を収容し、野縁７の配列方向に連結された複数の容器とを有し、野縁７の配列方向の少なくとも一方の端部に配置された際野縁７ａ及び際野縁７ａに隣接する１以上の野縁７を除く、複数の野縁を跨ぐように配置されるように構成した。このような構成の採用によって、野縁７の配列方向の少なくとも一方の端部の際野縁７ａ及びこれに隣接する１以上の野縁７に吸音体４が載らない。従って、天井３の施工作業者が天井板３ａを野縁７に取り付ける際に、垂れ下がった吸音体４により際野縁７ａが隠れることがない。そのため、作業者が天井板３ａの周縁部を際野縁７ａに対して位置決めし易くなる。更に、天井板３ａを野縁７に取り付ける際に、天井板３ａと際野縁７ａとの間に垂れ下がった吸音体４を誤って挟み込んでしまうことも発生し難い。このように、建物の天井構造１の施工効率を向上させることができる。
【００６２】
また、本実施形態は、上部構造体と、上部構造体の下方に設けられ、天井板３ａと野縁７とを有する天井３と、天井３に上載された吸音体４とを備えた建物の天井構造１の施工方法であって、吸音体４は、粒状体と、粒状体を収容し、野縁７の配列方向に連結された複数の容器とを有し、複数の野縁７を跨ぐように配置されており、野縁７を設置するステップと、野縁７を設置した後に吸音体４を複数の野縁７を跨ぐように配置するステップと、吸音体４を配置した後に下方から天井板３ａを野縁７に連結するステップとを含むように構成した。このような構成の採用によって、特許文献１のように天井を設置した後に、作業者が天井の上方まで移動して作業を行う必要がなく、建物の天井構造１の施工作業性を向上させることができる。また、吸音体４が、野縁７の配列方向に距離をおいて配置された複数の野縁７によって支持されることになるため、吸音体４が複数の野縁７によって安定的に支持されるほか、野縁７間で下方に垂れ下がる吸音体４の数を減らすことができる。従って、吸音体４が野縁７を跨ぐように載せてから、天井板３ａを下から押し上げる工程を行う際に、垂れ下がる吸音体４が施工の障害になり難い。そのため、天井板３ａを容易に押し上げて野縁７に対して固定することができる。
【００６３】
本開示を諸図面および実施例に基づき説明してきたが、当業者であれば本開示に基づき種々の変形または修正を行うことが容易であることに注意されたい。従って、これらの変形または修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。
【００６４】
例えば、本実施形態では、梁部材２と野縁７とが、防振吊り部材５及び野縁受け６を介して連結されるように構成したが、このような態様には限定されず、一部の連結部材を省略したり、他の連結部材と置き換えたりしてもよい。
【００６５】
また、本実施形態では、野縁７の上に１つの第１容器４ａが配置され、第１容器４ａの両脇の第２容器４ｂが天井板３ａ上に配置されるように構成したが、この態様には限定されない。野縁７上に２つ以上の第１容器４ａが配置されるように容器４ａ，４ｂがより細かく分割されていてもよい。
【００６６】
また、本実施形態では、２つの第１容器４ａを２つの第２容器４ｂを介して連結するように構成しているが、この態様には限定されず、２つの第１容器４ａを１つの第２容器４ｂを介して連結するようにしてもよい。
【符号の説明】
【００６７】
１        建物の天井構造
２        梁部材（上部構造体）
３        天井
３ａ      天井板
３ｃ      野縁の配列方向中央部
３ｅ      野縁の配列方向外側部
４        吸音体
４ａ      第１容器
４ｂ      第２容器
４ｃ      吸音体ユニット
４ｄ      屈曲部
５        防振吊り部材
７        野縁
７ａ      際野縁
８        床支持部材
９        壁部
【図１】
2020070641.tif 000003
【図２】
2020070641.tif 000004
【図３】
2020070641.tif 000005
【図４】
2020070641.tif 000006
【図５】
2020070641.tif 000007